(57)【特許請求の範囲】
【請求項１】
一方の端子が配設される雄型ハウジングと、該雄型ハウジングが嵌入されるフード部を有し他方の端子が配設される雌型ハウジングと、前記フード部内に揺動自在に立設され一端がフード部外へ突出したレバーとを備え、
レバー一端側のフード部に、レバーの一端を揺動自在に突出させる一端側スリットと、レバーの一端側に設けられた揺動ガイド部を雄型ハウジングのフード部内への嵌入方向及びフード部内からの脱出方向へ移動可能に保持する第１保持部とが形成され、フード部の底壁に、レバーの底部に設けられた揺動支点部を前記嵌入方向及び脱出方向と直交する直交方向へ移動可能に保持する第２保持部が形成され、雄型ハウジングに、レバーが挿入されるレバー用凹部が形成され、該レバー用凹部にガイドリブが配設され、レバーの頂部に、該ガイドリブと係合して雄型ハウジングを前記嵌入方向又は脱出方向へ押進させるカム溝が形成されているレバー式コネクタであって、
レバー他端側の前記フード部に、レバーの他端部を揺動可能に保持する第３保持部を設けたことを特徴とするレバー式コネクタ。
【請求項２】
請求項１記載のレバー式コネクタであって、
第３保持部は、レバーの他端部が挿入された他端側スリットであることを特徴とするレバー式コネクタ。
【発明の詳細な説明】
【０００１】
【発明の属する技術分野】
本発明は、レバー操作によって雌雄一対のコネクタを嵌合させ、その嵌合を解除させるレバー式コネクタに関するものである。
【０００２】
【従来の技術】
図８は、従来品の一例を示す分解斜視図である。このレバー式コネクタＡは、図外の雌型端子を収容する端子収容室Ｂ１が多数形成された雄型ハウジングＢと、この雄型ハウジングＢが嵌入されるフード部Ｃ１を有する雌型ハウジングＣと、フード部Ｃ１内に揺動自在に立設され一端がフード部Ｃ１外へ突出したレバーＤとを備えている。
【０００３】
雌型ハウジングＣには、前記雌型端子に接続される雄型端子Ｅが多数植設されており、各雄型端子Ｅはフード部Ｃ１内に起立している。雌型ハウジングＣは、レバーＤ一端側のフード部Ｃ１に、レバーＤの一端を揺動自在に突出させるスリットＣ２が形成されている。
【０００４】
このスリットＣ２の互いに対向する両対向面Ｃ３には、レバーＤの一端側底部の両面に突設されたガイド用ボスＤ１を、フード部Ｃ１内への雄型ハウジングＢの嵌入方向Ｙ１及びフード部Ｃ１内からの雄型ハウジングＢの脱出方向Ｙ２へ移動可能に保持するガイド用保持溝Ｃ４が形成されている。フード部Ｃ１の底壁には、レバーＤの他端側底部の両面に設けられ揺動支点となる支点用ボスＤ２を、嵌入方向Ｙ１及び脱出方向Ｙ２と直交する直交方向Ｘへ移動可能に保持する支点用保持溝Ｃ５が形成されている。
【０００５】
雄型ハウジングＢは、その底部に、レバーＤが挿入されるレバー用凹部Ｂ２が形成されている。このレバー用凹部Ｂ２には、ガイドリブＢ３が配設されている。レバーＤは、その頂部に、ガイドリブＢ３と係合して雄型ハウジングＢを嵌入方向Ｙ１又は脱出方向Ｙ２へ押進させるカム溝Ｄ３が形成されている。
【０００６】
このレバー式コネクタＡでは、レバーＤの一端を持ち上げた状態で雄型ハウジングＢの底部を雌型ハウジングＣのフード部Ｃ１内に挿入し、レバーＤのカム溝Ｄ３に雄型ハウジングＢのガイドリブＢ３を導入してレバーＤの一端を押し下げることにより、レバーＤのカム溝Ｄ３の上面と雄型ハウジングＢのガイドリブＢ３とが係合して、雄型ハウジングＢが嵌入方向Ｙ１へ押進される。従って、てこの原理によって雌雄一対のコネクタを小さい力で嵌合させることができる。
【０００７】
また、雌雄一対のコネクタが嵌合している状態でレバーＤの一端を持ち上げることにより、レバーＤのカム溝Ｄ３の下面と雄型ハウジングＢのガイドリブＢ３とが係合して、雄型ハウジングＢが脱出方向Ｙ２へ押進される。従って、てこの原理によって雌雄一対のコネクタの嵌合を小さい力で解除させることもできる。
【０００８】
【発明が解決しようとする課題】
ところで、レバー式コネクタＡでは、レバーＤは、雄型ハウジングＢのレバー用凹部Ｂ２と協働して、雌雄一対のコネクタの嵌合時に雄型ハウジングＢを嵌入方向Ｙ１へ案内し、嵌合解除時に雄型ハウジングＢを脱出方向Ｙ２へ案内している。しかし、レバーＤは、その一端側底部に設けられたガイド用ボスＤ１と、他端側底部に設けられた支点用ボスＤ２との２箇所でしか雌型ハウジングＣに保持されておらず、カム溝Ｄ３を有する頂部が不安定である。
【０００９】
このため、レバー式コネクタＡでは、雄型ハウジングＢのフード部Ｃ１内への嵌入時やフード部Ｃ２内からの脱出時にレバーＤの頂部がよれて、雄型ハウジングＢが傾き、雌雄一対のコネクタの嵌合が歪になったり、嵌合解除に異常な力を要したりする場合がある。
【００１０】
そこで、本発明では、雄型ハウジングのフード部内への嵌入時やフード部内からの脱出時に生じるレバー頂部のよれを防止することができ、雌雄一対のコネクタの嵌合や嵌合解除の安定性を向上させることができるレバー式コネクタを提供することを課題としている。
【００１１】
【課題を解決するための手段】
請求項１の発明は、一方の端子が配設される雄型ハウジングと、該雄型ハウジングが嵌入されるフード部を有し他方の端子が配設される雌型ハウジングと、前記フード部内に揺動自在に立設され一端がフード部外へ突出したレバーとを備え、レバー一端側のフード部に、レバーの一端を揺動自在に突出させる一端側スリットと、レバーの一端側に設けられた揺動ガイド部を雄型ハウジングのフード部内への嵌入方向及びフード部内からの脱出方向へ移動可能に保持する第１保持部とが形成され、フード部の底壁に、レバーの底部に設けられた揺動支点部を前記嵌入方向及び脱出方向と直交する直交方向へ移動可能に保持する第２保持部が形成され、雄型ハウジングに、レバーが挿入されるレバー用凹部が形成され、該レバー用凹部にガイドリブが配設され、レバーの頂部に、該ガイドリブと係合して雄型ハウジングを前記嵌入方向又は脱出方向へ押進させるカム溝が形成されているレバー式コネクタであって、レバー他端側の前記フード部に、レバーの他端部を揺動可能に保持する第３保持部を設けたことを特徴としている。
【００１２】
この発明では、レバーは、その一端側に設けられた揺動ガイド部が、雌型ハウジングのフード部に設けられた第１保持部によって、雄型ハウジングのフード部内への嵌入方向及びフード部内からの脱出方向へ移動可能に保持されている。
【００１３】
レバーの底部に設けられた揺動支点部は、フード部の底壁に設けられた第２保持部によって、前記嵌入方向及び脱出方向と直交する直交方向へ移動可能に保持されている。レバーの他端部は、フード部に設けられた第３保持部によって揺動可能に保持されている。
【００１４】
このため、３点保持によってレバーを安定的に揺動させることができ、従って、雄型ハウジングのフード部内への嵌入時やフード部内からの脱出時に生じるレバー頂部のよれを防止することができ、雌雄一対のコネクタの嵌合や嵌合解除の安定性を向上させることができる。
【００１５】
請求項２の発明は、請求項１記載のレバー式コネクタであって、第３保持部は、レバーの他端部が挿入された他端側スリットであることを特徴としている。
【００１６】
この発明では、雌型ハウジングの第３保持部は、レバーの他端部が挿入された他端側スリットであるので、この他端側スリットでレバーの他端部を揺動可能に確実に保持することができ、従って、雄型ハウジングのフード部内への嵌入時やフード部内からの脱出時に生じるレバー頂部のよれを確実に防止することができる。
【００１７】
【発明の実施の形態】
本発明の実施の形態の一例を図１〜図５を使用して以下に説明する。図１は、一実施形態を示す分解斜視図である。図２は、図１に示すものの雌コネクタの平面図である。図３は、図２に示すものの右側面図である。図４は、図２に示すもののＶ−Ｖ線断面図である。図５は、図２に示すものの雌型ハウジングのＷ−Ｗ線断面図である。ただし、図１，図５では、レバーは揺動上死点位置に位置し、図２〜図４では、レバーは揺動下死点位置に位置している。
【００１８】
図１に示すように、このレバー式コネクタ１は、雄型ハウジング２と、この雄型ハウジング２が嵌入されるフード部３１を有する雌型ハウジング３と、フード部３１内に揺動自在に立設され一端がフード部３１外へ突出したレバー４とを備えている。
【００１９】
雄型ハウジング２には、図外の雌型端子（一方の端子）を収容する端子収容室２１が左右２列に配列され各列同数づつ所定のピッチで形成されている。各端子収容室２１は、雄型ハウジング２の頂面２２から底面２３まで雄型ハウジング２を貫通し、頂面２２側の開口部から、リード線の先端に取り付けられた雌型端子が装着され、底面２３側の開口部から、雌型ハウジング３に植設されてフード部３１内に起立する雄型端子５（他方の端子）が挿入されるようになっている。
【００２０】
雄型ハウジング２の底面２３には、レバー４が挿入されるレバー用凹部２４が形成されている。このレバー用凹部２４は、端子収容室２１の配列の中間に位置し、その配列に沿って雄型ハウジング２の底部を貫通している。レバー用凹部２４には、所定位置にガイドリブ２５が配設されている。このガイドリブ２５は、レバー用凹部２４の互いに対向する両対向面を連結して雄型ハウジング２を補強している。
【００２１】
図１〜図５に示すように、レバー４は、雌型ハウジング３のフード部３１から突出する一端側の頂部に、レバー４を揺動させる操作部４１が設けられている。レバー４の他端部４２は、雌型ハウジング３のレバー４他端側のフード部３１に設けられた他端側スリットである第３保持部３２に挿入され、この第３保持部３２によって揺動可能に保持されている。
【００２２】
レバー４の他端側底部の両壁面には、レバー４の揺動支点となる揺動支点部としての支点用ボス４３がそれぞれ突設されている。レバー４の一端側底部の両壁面には、レバー４の揺動をガイドする揺動ガイド部としてのガイド用ボス４４がそれぞれ突設されている。
【００２３】
レバー４の頂部には、雄型ハウジング２のガイドリブ２５と係合して雄型ハウジング２を、フード部３１内への雄型ハウジング２の嵌入方向Ｙ１又はフード部３１内からの雄型ハウジング２の脱出方向Ｙ２へ押進させるカム溝４５が形成されている。レバー４の操作部４１下方の一壁面には、その下端に、雌型ハウジング３の外壁面下部に設けられたロック片３３と係脱自在に係合してレバー４を揺動下死点で固定する弾性片４６が配設されている。
【００２４】
雌型ハウジング３には、雄型端子５が多数植設されている。各雄型端子５は、その一端が雌型ハウジング３の底部から左右両側へそれぞれ所定のピッチで突出している。雄型端子５の他端部は、雌型ハウジング３のフード部３１内で左右２列に配列されて各列同数づつ所定のピッチで起立し、フード部３１内に雄型ハウジング２を嵌入させることによって、雄型ハウジング２の端子収容室２１に配設される雌型端子に挿入接続されるようになっている。
【００２５】
レバー４は、フード部３１内における雄型端子５の配列間に、その配列に沿って揺動自在に配設されている。雌型ハウジング３のフード部３１には、レバー４の一端側に配設された操作部４１をフード部３１から揺動自在に突出させる一端側スリット３４が形成されている。
【００２６】
この一端側スリット３４は、フード部３１の開放端面３１ａに開口部を有し、この開口部からレバー４の頂部が出没自在に突出するようになっている。一端側スリット３４の互いに対向する両対向面３４ａには、レバー４のガイド用ボス４４を嵌入方向Ｙ１及び脱出方向Ｙ２へ移動可能に保持する第１保持部としてのガイド用保持溝３５がそれぞれ形成されている。
【００２７】
フード部３１の底壁３１ｂには、一端側スリット３４の下端から雄型端子５の配列に沿って延びレバー４の底部が揺動可能に挿入された揺動用凹部３６が形成されている。この揺動用凹部３６の底部には、その左右両側に、レバー４の支点用ボス４３を嵌入方向Ｙ１及び脱出方向Ｙ２と直交する直交方向Ｘへ移動可能に保持する第２保持部としての支点用保持溝３７が形成されている。
【００２８】
従って、揺動用凹部３６及び支点用保持溝３７は、一端側スリット３４及びガイド用保持溝３５と互いに連通している。雌型ハウジング３の底面には、雌型ハウジング３を電気回路基板等に取り付けるための位置決め突部３８が２個設けられている。
【００２９】
以上説明したレバー式コネクタ１では、レバー４を揺動上死点位置に位置させた状態で雄型ハウジング２の底部を雌型ハウジング３のフード部３１内に挿入し、レバー４のカム溝４５に雄型ハウジング２のガイドリブ２５を導入してレバー４の操作部４１を押し下げることにより、レバー４のカム溝４５の上面と雄型ハウジング２のガイドリブ２５とが係合して、雄型ハウジング２が嵌入方向Ｙ１へ押進される。従って、てこの原理により雌雄一対のコネクタを小さい力で嵌合させることができる。
【００３０】
また、雌雄一対のコネクタが嵌合している状態でレバー４の操作部４１を持ち上げることにより、レバー４のカム溝４５の下面と雄型ハウジング２のガイドリブ２５とが係合して、雄型ハウジング２が脱出方向Ｙ２へ押進される。従って、この原理により雌雄一対のコネクタの嵌合を小さい力で解除させることもできる。
【００３１】
しかも、レバー式コネクタ１では、レバー４は、雌型ハウジング３のガイド用保持溝３５によってガイド用ボス４４が嵌入方向Ｙ１及び脱出方向Ｙ２へ移動可能に保持され、雌型ハウジング３の支点用保持溝３７によって支点用ボス４３が直交方向Ｘへ移動可能に保持され、雌型ハウジング３の第３保持部３２によって他端部４２が揺動可能に保持されている。
【００３２】
このため、３点保持によってレバー４を安定的に揺動させることができ、従って、雄型ハウジング２のフード部３１内への嵌入時やフード部３１内からの脱出時に生じるレバー４頂部のよれを防止することができ、雌雄一対のコネクタの嵌合や嵌合解除の安定性を向上させることができる。
【００３３】
加えて、レバー式コネクタ１では、雌型ハウジング３の第３保持部３２が、レバー４の他端部４２が挿入された他端側スリットであるので、この他端側スリットでレバー４の他端部４２を揺動可能に確実に保持することができ、従って、雄型ハウジング２のフード部３１内への嵌入時やフード部３１内からの脱出時に生じるレバー４頂部のよれを確実に防止することができる。
【００３４】
なお、雌型ハウジング３のフード部３１に設けられた第３保持部３２は、スリットに限定されず、例えば、図６に示すように、フード部３１の内壁面に凹設されレバー４の他端部４２を揺動可能に保持する他端用保持溝であっても良い。あるいは、図７に示すように、フード部３１の内壁面に突設された平行な２本のガイド壁５０によって形成され、レバー４の他端部４２を揺動可能に保持する他端用保持溝であっても良い。
【００３５】
【発明の効果】
請求項１の発明では、レバーは、その一端側に設けられた揺動ガイド部が、雌型ハウジングのフード部に設けられた第１保持部によって、雄型ハウジングのフード部内への嵌入方向及びフード部内からの脱出方向へ移動可能に保持されている。レバーの底部に設けられた揺動支点部は、フード部の底壁に設けられた第２保持部によって、前記嵌入方向及び脱出方向と直交する直交方向へ移動可能に保持されている。レバーの他端部は、フード部に設けられた第３保持部によって揺動可能に保持されている。このため、３点保持によってレバーを安定的に揺動させることができ、従って、雄型ハウジングのフード部内への嵌入時やフード部内からの脱出時に生じるレバー頂部のよれを防止することができ、雌雄一対のコネクタの嵌合や嵌合解除の安定性を向上させることができる。
【００３６】
請求項２の発明では、請求項１の発明の効果に加えて、雌型ハウジングの第３保持部は、レバーの他端部が挿入された他端側スリットであるので、この他端側スリットでレバーの他端部を揺動可能に確実に保持することができ、従って、雄型ハウジングのフード部内への嵌入時やフード部内からの脱出時に生じるレバー頂部のよれを確実に防止することができる。
【図面の簡単な説明】
【図１】実施形態の一例を示す分解斜視図である。
【図２】図１に示すものの雌コネクタを示す平面図である。
【図３】図２に示すものの右側面図である。
【図４】図２に示すもののＶ−Ｖ線断面図である。
【図５】図２に示すものの雌型ハウジングのＷ−Ｗ線断面図である。
【図６】実施形態の他の一例の要部を示す平面図である。
【図７】実施形態の更に他の一例の要部を示す平面図である。
【図８】従来品の一例を示す分解斜視図である。
【符号の説明】
１  レバー式コネクタ
２  雄型ハウジング
３  雌型ハウジング
４  レバー
５  雄型端子（他方の端子）
２４  レバー用凹部
２５  ガイドリブ
３１  フード部
３１ｂ  底壁
３２  第３保持部（他端側スリット）
３４  一端側スリット
３５  ガイド用保持溝（第１保持部）
３７  支点用保持溝（第２保持部）
４２  他端部
４３  支点用ボス（揺動支点部）
４４  ガイド用ボス（揺動ガイド部）
４５  カム溝
Ｘ  直交方向
Ｙ１  嵌入方向
Ｙ２  脱出方向
【図１】
0003561168.tif 000002
【図２】
0003561168.tif 000003
【図３】
0003561168.tif 000004
【図４】
0003561168.tif 000005
【図５】
0003561168.tif 000006
【図６】
0003561168.tif 000007
【図７】
0003561168.tif 000008
【図８】
0003561168.tif 000009